(57)【要約】【課題】ハンドルと前輪懸架部材とをリンク機構を介して連結した鞍乗り型車両の転舵構造において、ハンドル位置の自由度を高める。【解決手段】ハンドルの操舵軸線よりも前方にオフセットしたステアリング軸線を形成するヘッドパイプと、ヘッドパイプに回動可能に支持されると共に、前輪と一体的にステアリング軸線の回りに回動される転舵部材と、一端部が転舵部材の側に回動可能に接続されると共に、他端部がハンドルの側に回動可能に接続されるリンク部材と、を備える鞍乗り型車両の転舵構造であって、リンク部材の一端部と転舵部材との間には、転舵部材に前輪の車軸の中心軸線に沿う回動軸線の回りに回動可能に支持される回動部材が設けられる。【選択図】図２
2015193309.tif 000002
【特許請求の範囲】
【請求項１】
ハンドル（８）の操舵軸線（Ｃ２）よりも前方にオフセットしたステアリング軸線（Ｃ３）を形成するヘッドパイプ（１２）と、前記ヘッドパイプ（１２）に回動可能に支持されると共に、前輪（９）と一体的に前記ステアリング軸線（Ｃ３）の回りに回動される転舵部材（１３）と、一端部が前記転舵部材（１３）の側に回動可能に接続されると共に、他端部が前記ハンドル（８）の側に回動可能に接続されるリンク部材（１５）と、を備える鞍乗り型車両の転舵構造であって、
前記リンク部材（１５）の前記一端部と前記転舵部材（１３）との間には、前記転舵部材（１３）に前記前輪（９）の車軸（９ａ）の中心軸線（Ｃ１）に沿う回動軸線（Ｃ４）の回りに回動可能に支持される回動部材（１４）が設けられることを特徴とする鞍乗り型車両の転舵構造。
【請求項２】
前記リンク部材（１５）は、車幅方向両側に左右一対設けられ、
前記回動部材（１４）は、左右一対の前記リンク部材（１５）の前端近傍、且つ、左右一対の前記リンク部材（１５）の間に配置されることを特徴とする請求項１に記載の鞍乗り型車両の転舵構造。
【請求項３】
前記回動部材（１４）を前記転舵部材（１３）に支持する軸支部（１３ｄ）は、側面視で、前記リンク部材（１５）の上側に配置されることを特徴とする請求項１又は２に記載の鞍乗り型車両の転舵構造。
【請求項４】
前記ヘッドパイプ（１２）に前端部（１７ａ）を車幅方向に沿う第一連結軸線（Ｃ９）の回りに揺動可能に接続されると共に、車体フレーム（１）に後端部（１７ｂ）を車幅方向に沿う第二連結軸線（Ｃ１０）の回りに揺動可能に接続される上アーム部（１７）と、
前記上アーム部（１７）の下方に配置され、且つ、前記ヘッドパイプ（１２）に前端部（１８ａ）を車幅方向に沿う第三連結軸線（Ｃ１１）の回りに揺動可能に接続されると共に、車体フレーム（１）に後端部（１８ｂ）を車幅方向に沿う第四連結軸線（Ｃ１２）の回りに揺動可能に接続される下アーム部（１８）と、を更に備え、
側面視で、前記第一連結軸線（Ｃ９）と前記第二連結軸線（Ｃ１０）とを通る第一直線（ＡＸ１）と、前記第三連結軸線（Ｃ１１）と前記第四連結軸線（Ｃ１２）とを通る第二直線（ＡＸ２）とは、前方又は後方への延長部分で互いに交差することを特徴とする請求項１から３までの何れか一項に記載の鞍乗り型車両の転舵構造。
【発明の詳細な説明】
【技術分野】
【０００１】
本発明は、鞍乗り型車両の転舵構造に関する。
【背景技術】
【０００２】
従来、鞍乗り型車両の転舵構造において、例えば特許文献１に開示されたものがある。これは、ハンドルと前輪懸架部材とをＬ字状の屈伸リンク機構を介して連結したものである。屈伸リンク機構は、前輪の上下動に合わせて上下リンクが屈伸することで、前輪の上下動時にもハンドルと前輪懸架部材とを操向可能に連結する。
【先行技術文献】
【特許文献】
【０００３】
【特許文献１】特開平４−１６９３８６号公報
【発明の概要】
【発明が解決しようとする課題】
【０００４】
ところで、屈伸リンク機構は、屈伸する部分を備えるため、前方又は後方にリンク機構が延びるように配置されるので、配置するスペースを確保する必要があった。
【０００５】
そこで本発明は、ハンドルと前輪懸架部材とをリンク機構を介して連結した鞍乗り型車両の転舵構造において、前輪懸架装置の上下動による転舵への影響を小さくしつつハンドル位置の自由度を高めることを目的とする。
【課題を解決するための手段】
【０００６】
上記課題の解決手段として、請求項１に記載した発明は、ハンドル（８）の操舵軸線（Ｃ２）よりも前方にオフセットしたステアリング軸線（Ｃ３）を形成するヘッドパイプ（１２）と、前記ヘッドパイプ（１２）に回動可能に支持されると共に、前輪（９）と一体的に前記ステアリング軸線（Ｃ３）の回りに回動される転舵部材（１３）と、一端部が前記転舵部材（１３）の側に回動可能に接続されると共に、他端部が前記ハンドル（８）の側に回動可能に接続されるリンク部材（１５）と、を備える鞍乗り型車両の転舵構造であって、前記リンク部材（１５）の前記一端部と前記転舵部材（１３）との間には、前記転舵部材（１３）に前記前輪（９）の車軸（９ａ）の中心軸線（Ｃ１）に沿う回動軸線（Ｃ４）の回りに回動可能に支持される回動部材（１４）が設けられることを特徴とする。
請求項２に記載した発明は、前記リンク部材（１５）は、車幅方向両側に左右一対設けられ、前記回動部材（１４）は、左右一対の前記リンク部材（１５）の前端近傍、且つ、左右一対の前記リンク部材（１５）の間に配置されることを特徴とする。
請求項３に記載した発明は、前記回動部材（１４）を前記転舵部材（１３）に支持する軸支部（１３ｄ）は、側面視で、前記リンク部材（１５）の上側に配置されることを特徴とする。
請求項４に記載した発明は、前記ヘッドパイプ（１２）に前端部（１７ａ）を車幅方向に沿う第一連結軸線（Ｃ９）の回りに揺動可能に接続されると共に、車体フレーム（１）に後端部（１７ｂ）を車幅方向に沿う第二連結軸線（Ｃ１０）の回りに揺動可能に接続される上アーム部（１７）と、前記上アーム部（１７）の下方に配置され、且つ、前記ヘッドパイプ（１２）に前端部（１８ａ）を車幅方向に沿う第三連結軸線（Ｃ１１）の回りに揺動可能に接続されると共に、車体フレーム（１）に後端部（１８ｂ）を車幅方向に沿う第四連結軸線（Ｃ１２）の回りに揺動可能に接続される下アーム部（１８）と、を更に備え、側面視で、前記第一連結軸線（Ｃ９）と前記第二連結軸線（Ｃ１０）とを通る第一直線（ＡＸ１）と、前記第三連結軸線（Ｃ１１）と前記第四連結軸線（Ｃ１２）とを通る第二直線（ＡＸ２）とは、前方又は後方への延長部分で互いに交差することを特徴とする。
【発明の効果】
【０００７】
請求項１に記載した発明によれば、両端が回動可能なリンク部材で転舵部材とハンドルとを連結することで、ハンドルを転舵部材の後方にオフセットした転舵機構を構成することができる。又、前輪のストローク等により、操舵軸線とステアリング軸線との間に角度が生じても、この角度を回動部材の回動によっても吸収することができる。即ち、ハンドルと前輪懸架部材とをリンク機構を介して連結した鞍乗り型車両の転舵構造において、前輪懸架装置の上下動による転舵への影響を小さくしつつハンドル位置の自由度を高めることができる。
請求項２に記載した発明によれば、回動部材がコンパクトに配置されるので、周辺部材との関係でレイアウトに与える影響を小さくすることができる。
請求項３に記載した発明によれば、軸支部がコンパクトに配置されるので、周辺部材との関係でレイアウトに与える影響を小さくすることができる。
請求項４に記載した発明によれば、側面視で角度をもって配置された上アーム部と下アーム部とを介した揺動により、転舵部材がステアリング軸線に対して傾きを伴うストロークをしても、回動部材の回動により吸収することができる。
【図面の簡単な説明】
【０００８】
【図１】本発明の実施形態における自動二輪車の車体前部の左側面図である。
【図２】上記自動二輪車の前輪懸架装置の左側面図である。
【図３】上記前輪懸架装置を左上前方から見た斜視図である。
【図４】上記前輪懸架装置の上面図である。
【図５】上記前輪懸架装置の回転軸線に沿う断面及び左リンク部材の平断面を含む断面図である。
【図６】上記前輪懸架装置の上アーム部の第一連結軸線に沿う断面及び第二連結軸線に沿う断面を含む断面図である。
【図７】上記前輪懸架装置の下アーム部の第三連結軸線に沿う断面及び第四連結軸線に断面並びにクッションユニットの前下端部の接続部の中心軸線に沿う断面を含む断面図である。
【図８】上記前輪懸架装置のフロントフォークの上端部の接続部のヘッドパイプの長手方向に沿う断面及び前輪車軸の中心軸線に沿う断面を含む断面図である。
【図９】上記前輪懸架装置の各種軸線等を示す左側面図である。
【図１０】上記前輪懸架装置の第一直線と第二直線とが互いに交差する例を示す左側面図である。
【発明を実施するための形態】
【０００９】
以下、本発明の実施形態について図面を参照して説明する。尚、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰ、及び車両左右中心線ＣＬが示されている。
【００１０】
図１は、鞍乗り型車両の一例としての自動二輪車の車体前部を示す。図１を参照し、自動二輪車の車体フレーム１は、前端部に前輪懸架装置１０を支持するフロントブロック２を有する。
【００１１】
フロントブロック２の後方には、左右一対のメインフレーム３が後下がりに延びると共に、左右一対のサブフレーム３ａが後方に延びる。左右メインフレーム３は、不図示の後輪懸架装置を支持するピボットフレーム４に接続される。フロントブロック２、左右メインフレーム３及び左右サブフレーム３ａの下方には、例えば水平対向型のエンジン５が搭載される。フロントブロック２及び左右メインフレーム３の上方には、燃料タンク６が配置される。自動二輪車の車体前部は、合成樹脂製のフロントカウル７で覆われる。
【００１２】
図２、図３を併せて参照し、フロントブロック２は、側面視で、前上方に突出するＶ字状をなす。フロントブロック２の前上端部には、後述する上アーム部１７の後端部１７ｂが接続される接続部２ｂが形成される。フロントブロック２の上下中央近傍には、後述する下アーム部１８の後端部１８ｂが接続される接続部２ｃが形成される。
フロントブロック２の前下端部には、エンジン５の左右側部が支持される支持部２ｄが形成される。
【００１３】
前輪懸架装置１０は、支持部２ａと、ハンドルポスト１１と、ヘッドパイプ１２と、転舵部材１３と、回動部材１４と、リンク部材１５と、揺動アーム１６と、フロントフォーク１９と、クッションユニット２０と、を備える。
【００１４】
図８、図９を併せて参照し、フロントフォーク１９は、ヘッドパイプ１２の下方に配置される。フロントフォーク１９は、その上端部が転舵部材１３の軸部１３ｂに接続されると共に、その下端部で前輪９の車軸９ａ（前輪車軸）を支持する。
フロントフォーク１９は、上下に延びる左右一対のアーム部１９ａと、左右アーム部１９ａの上端部間を連結するクロスメンバ１９ｂと、を一体に有する。フロントフォーク１９の各要素は、それぞれ例えば一体のアルミ製部品であり、これらが互いに一体に溶接結合される。
左右アーム部１９ａは、前輪９の左右両側に配置される。クロスメンバ１９ｂは、前輪９の上端位置のトレッド面に沿うように車幅方向内側へ湾曲し、左右アーム部１９ａの上端部間に配置される。クロスメンバ１９ｂは、その左右端部が左右アーム部１９ａの上端部に接合される。
【００１５】
クロスメンバ１９ｂの上端部には、転舵部材１３の軸部１３ｂが接続される接続部１９ｃが形成される。クロスメンバ１９ｂの接続部には、転舵部材１３の軸部１３ｂが延びる方向に開口する挿通孔１９ｈが形成される。転舵部材１３の軸部１３ｂは、その下端部で最大径を有する。挿通孔１９ｈに軸部１３ｂを上端部から挿通させ、挿通孔１９ｈに軸部１３ｂの下端部が位置する状態で、軸部１３ｂの下端部と接続部１９ｃとを溶接結合することで、フロントフォーク１９の上端部が転舵部材１３の軸部１３ｂに固定的に接続される。
尚、図中符号１３ｇは、ヘッドパイプ１２の下端部内周に保持されるボールベアリングを示す。
【００１６】
左右アーム部１９ａの下端部には、前輪車軸９ａが接続される接続部１９ｄが形成される。左右アーム部１９ａの接続部１９ｄには、車幅方向に開口する挿通孔９ｈが形成される。左右アーム部１９ａの接続部１９ｄの間に前輪９のホイール９ｃのハブ部９ｄを挟んだ状態で、挿通孔９ｈ及びホイール９ｃのハブ部９ｄの内周を通じて、前輪車軸９ａの一端にボルト９ｂを螺着し締め込む。前輪車軸９ａの外周には、左右一対のサイドカラー９ｊと、左右サイドカラー９ｊの内側に隣接する左右一対のボールベアリング９ｇと、左右ボールベアリング９ｇ間の距離を確保するためのセンターカラー９ｉと、が設けられる。左右ボールベアリング９ｇを介して、前輪車軸９ａの車幅方向両端部がフロントフォーク１９の下端部に固定的に支持されると共に、前輪９のホイール９ｃが前輪車軸９ａの車幅方向中央に回動可能に支持される。
尚、符号２１ａは、ハブ部９ｄの左右両端にインナーロータが固定されたブレーキロータを示す。又、図中符号Ｃ１は、前輪車軸９ａの中心軸線を示す。又、図中符号Ｃ１Ｌは、中心軸線Ｃ１から地面Ｇに降ろした垂線を示す。又、図中符号Ｔは、トレールを示す。
【００１７】
フロントフォーク１９の下部（左右アーム部１９ａ）の後方には、ブレーキキャリパ２１が支持される。フロントフォーク１９の上部（クロスメンバ１９ｂ）には、フロントフェンダ２２が不図示のボルトを介して支持される。
【００１８】
図２、図３、図９を併せて参照し、支持部２ａは、側面視で、フロントブロック２の上端部の前後中央で垂直方向に対して後傾して設けられる。支持部２ａは、例えばアルミ製のフロントブロック２の上前端部に一体に設けられる。支持部２ａは、その上部でハンドルポスト１１を回動可能（操向可能）に支持すると共に、その下部でクッションユニット２０の後上端部２０ｂを揺動可能に支持する。
【００１９】
具体的に、支持部２ａは、その上部内周にハンドルポスト１１の軸部１１ａを挿通し、この軸部１１ａを回動可能（操向可能）に支持する。支持部２ａの内周には、図示しないボールベアリングが保持される。軸部１１ａの上端部は、支持部２ａの上方に突出し、この突出部でハンドルポスト１１のホルダ１１ｂを固定的に支持する。支持部２ａの下部には、クッションユニット２０の後上端部２０ｂが接続される接続部２ｅが車幅方向両側に左右一対形成される。
尚、図中符号Ｃ２は、軸部１１ａの中心軸線を示す。以下、中心軸線Ｃ２を操舵軸線ということがある。
【００２０】
図５を参照し、ハンドルポスト１１は、操舵軸線Ｃ２に沿う方向から見て、後方に凸のＶ字状をなす。ハンドルポスト１１のホルダ１１ｂには、バーハンドル８の左右中央部が固定的に支持される。図２を参照し、ハンドルポスト１１の軸部１１ａが支持部２ａに回動可能に支持されることで、ハンドルポスト１１には、バーハンドル８が支持部２ａの上方で軸部１１ａ（操舵軸線Ｃ２）の回りに回動可能（操向可能）に支持される。ハンドルポスト１１の左右端部には、後述する左右第二ボールジョイント４３が接続される接続部１１ｃが形成される。
【００２１】
図２、図８、図９を併せて参照し、ヘッドパイプ１２は、操舵軸線Ｃ２の前方に離間して設けられる。具体的に、ヘッドパイプ１２は、円筒状をなし、支持部２ａ（フロントブロック２）の前方で垂直方向に対して後傾して設けられる。ヘッドパイプ１２は、その径方向内側で転舵部材１３の軸部１３ｂを、その中心軸線Ｃ３の回りに回動可能（操向可能）に支持する。ヘッドパイプ１２の前上部には、上アーム部１７の前端部１７ａが接続される接続部１２ａが前上方に突出して形成される。ヘッドパイプ１２の後下部には、下アーム部１８の前端部１８ａが接続される接続部１２ｂが後下方に突出して形成される。
尚、軸部１３ｂの中心軸線Ｃ３は、ヘッドパイプ１２の中心軸線と一致する。以下、中心軸線Ｃ３をステアリング軸線（転舵軸線）ということがある。ステアリング軸線Ｃ３の鉛直方向に対する角度が「キャスター角」となる。ステアリング軸線Ｃ３は操舵軸線Ｃ２よりも前方にオフセット（離間）する。図の前輪懸架装置１０に車重分の荷重が加わった１Ｇ状態（以下、単に「１Ｇ状態」ということがある。）において、ステアリング軸線Ｃ３と操舵軸線Ｃ２とは、互いに平行である。
【００２２】
図２、図５を併せて参照し、転舵部材１３は、ヘッドパイプ１２に回動可能に支持されると共に、前輪９と一体的にステアリング軸線Ｃ３の回りに操向される。転舵部材１３は、アッパー部１３ａと、軸部１３ｂと、を有する。アッパー部１３ａは、側面視で、その前部が前方に張り出すＣ字状をなす。軸部１３ｂは、ヘッドパイプ１２が延びる方向に沿って延びる。
【００２３】
アッパー部１３ａの下端部は、ステアリング軸線Ｃ３に沿う方向から見て、後方が開くＣ字状をなす。アッパー部１３ａの前下端部には、位置決め用のピン１３ｃを差し込む差込孔１３ｈが形成される。アッパー部１３ａの後下端部には、車幅方向に開口する挿通孔３０ｈが形成される。差込孔１３ｈにピン１３ｃを差し込んだ状態で、挿通孔３０ｈを通じてボルト３０ａをナット３０ｂに螺着し締め込むことで、アッパー部１３ａの下端部が軸部１３ｂの上端部に締結固定される。
【００２４】
図２、図４、図５、図９を併せて参照し、アッパー部１３ａの上端部には、車幅方向に延びる円筒状をなす軸支部１３ｄが形成される。軸支部１３ｄは、側面視で、左右リンク部材１５の上側に配置される。軸支部１３ｄには、回動部材１４が軸支部１３ｄと同軸に回動可能に支持される。
尚、図中符号Ｃ４は、軸支部１３ｄの中心軸線を示す。以下、中心軸線Ｃ４を回動軸線ということがある。
【００２５】
回動部材１４は、左右リンク部材１５の前端部と転舵部材１３との間に設けられる。回動部材１４は、左右リンク部材１５の前端近傍、且つ、左右リンク部材１５の間に配置される。回動部材１４は、左右リンク部材１５の上側に配置される。
【００２６】
図４を参照し、回動部材１４は、上面視で、ハンドルポスト１１と同等の幅となるように車幅方向に延びる。回動部材１４は、その前部に位置する本体部１４ｆと、本体部１４ｆの車幅方向内側で所定の間隔を空けて後方に延びる左右一対の延出部１４ｂと、を有する。本体部１４ｆの左右端部には、後述する左右第一ボールジョイント４０が接続される接続部１４ａが形成される。
【００２７】
図５を併せて参照し、回動部材１４の左右延出部１４ｂには、車幅方向に開口する挿通孔３１ｈが形成される。左右延出部１４ｂの間に円筒状の軸支部１３ｄを挟んだ状態で、挿通孔３１ｈ及び軸支部１３ｄの内周を通じてボルト３１ａを挿通し、その突出部にナット３１ｂを螺着し締め込む。ボルト３１ａの外周には、左右一対のサイドカラー３１ｊと、左右サイドカラー３１ｊの内側に隣接する左右一対のボールベアリング３１ｇと、左右ボールベアリング３１ｇ間の距離を確保するためのセンターカラー３１ｉと、が設けられる。左右ボールベアリング３１ｇを介して、回動部材１４が、転舵部材１３の軸支部１３ｄに回動軸線Ｃ４の回りに回動可能に支持される。
【００２８】
図２、図４、図５を併せて参照し、リンク部材１５は、車幅方向両側に左右一対設けられる。左右リンク部材１５は、上面視で、車両前後方向に直線状に延びると共に、車幅方向に互いに平行に並ぶ。左右リンク部材１５は、転舵部材１３の側で前端部を後述する第一軸線Ｃ５の回りに回動可能に接続すると共に、バーハンドル８の側で後端部を後述する第二軸線Ｃ６の回りに回動可能に接続する。
【００２９】
具体的に、左右リンク部材１５の前端部には、車幅方向両側に設けられる左右一対の第一ボールジョイント４０が接続される。左右リンク部材１５の後端部には、車幅方向両側に設けられる左右一対の第二ボールジョイント４３が接続される。左右リンク部材１５は、その前端部が左右第一ボールジョイント４０を介して回動部材１４の左右接続部１４ａに回動可能に接続されると共に、その後端部が左右第二ボールジョイント４３を介してハンドルポスト１１の左右接続部１１ｃに回動可能に接続される。
【００３０】
左右第一ボールジョイント４０は、それぞれ第一ボールスタッド４１と、第一ソケット４２と、を有する。
左右第一ボールスタッド４１は、それぞれ球状のボール部４１ａと、ボール部４１ａの上方に突出するスタッド部４１ｂと、を有する。左右ボール部４１ａは、左右第一ソケット４２の内部で摺動可能に保持される。左右スタッド部４１ｂは、車両上下方向に直線状に延びる。
【００３１】
左右第一ソケット４２は、それぞれ第一上ソケット４２ａと、第一下ソケット４２ｂと、を有する。これら第一上ソケット４２ａと第一下ソケット４２ｂとの間には、ボール部４１ａが摺動可能に保持される。
【００３２】
回動部材１４の左右接続部１４ａには、車両上下方向に開口する挿通孔１４ｈが形成される。左右挿通孔１４ｈに左右スタッド部４１ｂの上端部のネジ部を挿通し、その上方への突出部にナット３２を螺着し締め込むことで、左右スタッド部４１ｂが回動部材１４の左右接続部１４ａに締結固定される。
尚、図中符号Ｃ５は、左右スタッド部４１ｂの中心軸線を示す。以下、中心軸線Ｃ５を第一軸線ということがある。第一軸線Ｃ５は、車両上下方向に延びる直線である。又、図中符号Ｃ７は、左右ボール部４１ａの中心を示す。左右ボール部４１ａの中心Ｃ７は、左右第一ボールジョイント４０の回動中心となる。
【００３３】
左右第二ボールジョイント４３は、それぞれ第二ボールスタッド４４と、第二ソケット４５と、を有する。
左右第二ボールスタッド４４は、それぞれ球状のボール部４４ａと、ボール部４４ａの上方に突出するスタッド部４４ｂと、を有する。左右ボール部４４ａは、左右第二ソケット４５の内部で摺動可能に保持される。左右スタッド部４４ｂは、左右スタット部４１ｂと平行をなし、車両上下方向に直線状に延びる。
【００３４】
左右第二ソケット４５は、それぞれ第二上ソケット４５ａと、第二下ソケット４５ｂと、を有する。これら第二上ソケット４５ａと第二下ソケット４５ｂとの間には、ボール部４４ａが摺動可能に保持される。
【００３５】
ハンドルポスト１１の左右接続部１１ｃには、車両上下方向に開口する挿通孔１１ｈが形成される。左右挿通孔１１ｈに左右スタッド部４４ｂの上端部のネジ部を挿通し、その上方への突出部にナット３２を螺着し締め込むことで、左右スタッド部４４ｂがハンドルポスト１１の左右接続部１１ｃに締結固定される。
尚、図中符号Ｃ６は、左右スタッド部４４ｂの中心軸線を示す。以下、中心軸線Ｃ６を第二軸線ということがある。第二軸線Ｃ６は、第一軸線Ｃ５と平行、且つ、車両上下方向に延びる直線である。又、図中符号Ｃ８は、左右ボール部４４ａの中心を示す。左右ボール部４４ａの中心Ｃ８は、左右第二ボールジョイント４３の回動中心となる。
【００３６】
左右リンク部材１５は、その前端部が左右第一下ソケット４２ｂの後端部４２ｒに接続されると共に、その後端部が左右第二下ソケット４５ｂの前端部４５ｆに接続される。具体的に、左右リンク部材１５は、その前端部のネジ部１５ａが左右第一下ソケット４２ｂの後端部４２ｒに所定量螺着された状態でロックナット３３を用いて固定されると共に、その後端部のネジ部１５ｂが左右第二下ソケット４５ｂの前端部４５ｆに所定量螺着された状態でロックナット３３を用いて固定される。左右リンク部材１５は、ロックナット３３を緩めて左右第一下ソケット４２ｂ及び左右第二下ソケット４５ｂと前ネジ部１５ａ及び後ネジ部１５ｂとの螺着量を増減させることで、前後接続部間の距離を調整可能である。
【００３７】
左右リンク部材１５は、操舵軸線Ｃ２、ステアリング軸線Ｃ３に沿う矢視で、回動部材１４及びハンドルポスト１１と共に平行リンクを形成する。このため、バーハンドル８の操舵角と同角度で、前輪９が転舵可能とされる。又、左右リンク部材１５により、バーハンドル８の操舵動作と転舵部材１３の操向動作（ステアリング動作）とがリニアに連動する。
【００３８】
図２、図３、図９を併せて参照し、揺動アーム１６は、ヘッドパイプ１２に前端部を揺動可能に支持されると共に、フロントブロック２に後端部を揺動可能に支持される。揺動アーム１６は、上下一対のアーム部１７，１８を有する。上下アーム部１７，１８は、車両上下方向に並んで配置されると共に、車両前後方向に沿うように延びる。
【００３９】
揺動アーム１６は、上アーム部１７の前後端部１７ａ，１７ｂのそれぞれが下アーム部１８の前後端部１８ａ，１８ｂのそれぞれよりも前方に配置される。揺動アーム１６は、上アーム部１７の前端部１７ａがステアリング軸線Ｃ３の前方で支持されると共に、下アーム部１８の前端部１８ａがステアリング軸線Ｃ３の後方で支持される。揺動アーム１６は、上アーム部１７の前端部１７ａがヘッドパイプ１２の上端より下方に配置されると共に、下アーム部１８の前端部１８ａがヘッドパイプ１２の下端近傍に配置される。
【００４０】
図６を併せて参照し、上アーム部１７は、その前端部１７ａがヘッドパイプ１２の接続部１２ａに車幅方向に沿う連結部材としてのボルト３４ａを介して揺動可能に支持される。又、上アーム部１７は、その後端部１７ｂがフロントブロック２の接続部２ｂに車幅方向に沿う連結部材としてのボルト３５ａを介して揺動可能に支持される。
【００４１】
上アーム部１７は、前後に延びる左右一対のアーム本体１７ｃと、左右アーム本体１７ｃの後端部１７ｂ間を連結するクロスメンバ１７ｄと、を一体に有する。上アーム部１７の各要素は、それぞれ例えば一体のアルミ製部品であり、これらが互いに一体に溶接結合される。
【００４２】
左右アーム本体１７ｃは、ヘッドパイプ１２の上部の左右両側に配置される。左右アーム本体１７ｃは、ヘッドパイプ１２の上部の外壁面に沿うように車幅方向内側へ湾曲する。
クロスメンバ１７ｄは、ヘッドパイプ１２の上部の後方で車幅方向に延びる。クロスメンバ１７ｄの両端部は、左右アーム本体１７ｃの後端部１７ｂに接合される。
【００４３】
左右アーム本体１７ｃの前端部１７ａには、車幅方向に開口する挿通孔３４ｈが形成される。左右アーム本体１７ｃの前端部１７ａの間にヘッドパイプ１２の接続部１２ａを挟んだ状態で、挿通孔３４ｈ及び接続部１２ａの内周を通じて、ボルト３４ａをナット３４ｂに螺着し締め込む。ボルト３４ａの外周には、左右一対のニードルベアリング３４ｍを支持するための左右一対のサイドカラー３４ｊと、左右サイドカラー３４ｊの間の距離を確保するためのセンターカラー３４ｉと、右サイドカラー３４ｊとセンターカラー３４ｉとを介してスラストを受けるボールベアリング３４ｇと、が設けられる。これら左右サイドカラー３４ｊ、センターカラー３４ｉ及びボールベアリング３４ｇを介して、上アーム部１７の前端部１７ａが接続部１２ａに揺動可能に支持される。
尚、図中符号Ｃ９は、ボルト３４ａの中心軸線を示す。以下、中心軸線Ｃ９を第一連結軸線ということがある。
【００４４】
フロントブロック２の左右接続部２ｂには、車幅方向に開口する挿通孔３５ｈが形成される。フロントブロック２の左接続部２ｂには、左右隙を調整するためのアジャストカラー３５ｋが設けられる。フロントブロック２の左右接続部２ｂの間に上アーム部１７の後端部１７ｂ（左右アーム本体１７ｃの後端部１７ｂ及びクロスメンバ１７ｄ）を挟んだ状態で、挿通孔３５ｈ及び上アーム部１７の後端部１７ｂの内周を通じて、ボルト３５ａをナット３５ｂに螺着し締め込む。ボルト３５ａの外周には、左右一対のニードルベアリング３５ｍを支持するための左右一対のサイドカラー３５ｊと、左右サイドカラー３５ｊの間の距離を確保するためのセンターカラー３５ｉと、右サイドカラー３５ｊとセンターカラー３５ｉとを介してスラストを受けるボールベアリング３５ｇと、が設けられる。これら左右サイドカラー３５ｊ、センターカラー３５ｉ及びボールベアリング３５ｇを介して、上アーム部１７の後端部１７ｂが左右接続部２ｂに揺動可能に支持される。
尚、図中符号Ｃ１０は、ボルト３５ａの中心軸線を示す。以下、中心軸線Ｃ１０を第二連結軸線ということがある。
【００４５】
図７を併せて参照し、下アーム部１８は、その前端部１８ａがヘッドパイプ１２の接続部１２ｂに車幅方向に沿う連結部材としてのボルト３６ａを介して揺動可能に支持される。又、下アーム部１８は、その後端部１８ｂがフロントブロック２の接続部２ｃに車幅方向に沿う連結部材としてのボルト３７ａを介して揺動可能に支持される。下アーム部１８の前下部には、クッションユニット２０の前下端部２０ａが接続される接続部１８ｅが形成される。
【００４６】
下アーム部１８は、前後に延びる左右一対のアーム本体１８ｃと、左右アーム本体１８ｃの後端部１８ｂ間を連結するクロスメンバ１８ｄと、を一体に有する。下アーム部１８の各要素は、それぞれ例えば一体のアルミ製部品であり、これらが互いに一体に溶接結合される。下アーム部１８の前後長さは、上アーム部１７の前後長さよりも長い。図２を参照し、側面視で、第三連結軸線Ｃ１１と第四連結軸線Ｃ１２とを結ぶ第二線分の長さＷ２は、第一連結軸線Ｃ９と第二連結軸線Ｃ１０とを結ぶ第一線分の長さＷ１よりも長い（Ｗ２＞Ｗ１）。
【００４７】
左右アーム本体１８ｃは、クッションユニット２０の下部の左右両側に配置される。左右アーム本体１８ｃは、クッションユニット２０（後述するスプリング２０ｆ）の下部の外周面に沿うように車幅方向内側へ湾曲する。左右アーム本体１８ｃの内部には、車幅方向内側へ湾曲する空間１８ｓが形成されている。
クロスメンバ１８ｄは、クッションユニット２０の下部の後方で車幅方向に延びる。クロスメンバ１８ｄの両端部は、左右アーム本体１８ｃの後端部１８ｂに接合される。
【００４８】
左右アーム本体１８ｃの前端部１８ａには、車幅方向に開口する挿通孔３６ｈが形成される。左右アーム本体１８ｃの前端部１８ａの間にヘッドパイプ１２の接続部１２ｂを挟んだ状態で、挿通孔３６ｈ及び接続部１２ｂの内周を通じて、ボルト３６ａをナット３６ｂに螺着し締め込む。ボルト３６ａの外周には、左右一対のニードルベアリング３６ｍを支持するための左右一対のサイドカラー３６ｊと、左右サイドカラー３６ｊの間の距離を確保するためのセンターカラー３６ｉと、右サイドカラー３６ｊとセンターカラー３６ｉとを介してスラストを受けるボールベアリング３６ｇと、が設けられる。これら左右サイドカラー３６ｊ、センターカラー３６ｉ及びボールベアリング３６ｇを介して、下アーム部１８の前端部１８ａが接続部１２ｂに揺動可能に支持される。
尚、図中符号Ｃ１１は、ボルト３６ａの中心軸線を示す。以下、中心軸線Ｃ１１を第三連結軸線ということがある。
【００４９】
フロントブロック２の左右接続部２ｃには、車幅方向に開口する挿通孔３７ｈが形成される。フロントブロック２の左接続部２ｃには、左右隙を調整するためのアジャストカラー３７ｋが設けられる。フロントブロック２の左右接続部２ｃの間に下アーム部１８の後端部１８ｂ（左右アーム本体１８ｃの後端部１８ｂ及びクロスメンバ１８ｄ）を挟んだ状態で、挿通孔３７ｈ及び下アーム部１８の後端部１８ｂの内周を通じて、ボルト３７ａをナット３７ｂに螺着し締め込む。ボルト３７ａの外周には、左右一対のニードルベアリング３７ｍを支持するための左右一対のサイドカラー３７ｊと、左右サイドカラー３７ｊの間の距離を確保するためのセンターカラー３７ｉと、右サイドカラー３７ｊとセンターカラー３７ｉとを介してスラストを受けるボールベアリング３７ｇと、が設けられる。これら左右サイドカラー３７ｊ、センターカラー３７ｉ及びボールベアリング３７ｇを介して、下アーム部１８の後端部１８ｂが左右接続部２ｃに揺動可能に支持される。
尚、図中符号Ｃ１２は、ボルト３７ａの中心軸線を示す。以下、中心軸線Ｃ１２を第四連結軸線ということがある。
【００５０】
又、図２における側面視で、ヘッドパイプ１２の接続部１２ａと接続部１２ｂとの間には、ビード形状１２ｅが形成される。ビード形状１２ｅは、第一連結軸線Ｃ９と第三連結軸線Ｃ１１とを結ぶ線分に沿って形成される。
【００５１】
又、図中符号ＡＸ１は、側面視で第一連結軸線Ｃ９と第二連結軸線Ｃ１０とを通る第一直線を示す。図中符号ＡＸ２は、側面視で第三連結軸線Ｃ１１と第四連結軸線Ｃ１２とを通る直線を示す。
図の１Ｇ状態において、上アーム部１７の第一直線ＡＸ１と下アーム部１８の第二直線ＡＸ２とは、互いに平行である。
【００５２】
図２、図６、図７、図９を併せて参照し、クッションユニット２０は、下アーム部１８に前下端部２０ａが揺動可能に接続されると共に、支持部２ａに後上端部２０ｂが揺動可能に接続される。クッションユニット２０は、下アーム部１８の揺動に伴い前下端部２０ａをストロークさせて緩衝作用を得る。
【００５３】
クッションユニット２０は、ダンパー２０ｅと、スプリング２０ｆと、を有する。
ダンパー２０ｅは、側面視で上側ほど後側に位置するように傾斜するロッド式のダンパーである。
スプリング２０ｆは、ダンパー２０ｅの周囲を巻回するコイルスプリングである。
クッションユニット２０は、その中心軸線Ｃ１５に沿ってストロークして伸縮し、所定の緩衝作用を得る。以下、中心軸線Ｃ１５をストローク軸線ということがある。
【００５４】
クッションユニット２０の前下端部２０ａは、下アーム部１８の前後中間位置よりも前方に位置する。図９において、クッションユニット２０の前下端部２０ａは、側面視で第三連結軸線Ｃ１１と第四連結軸線Ｃ１２とを結ぶ線分の中点Ｐｍよりも前方に位置し、且つ、前記線分よりも下方に位置する。
【００５５】
クッションユニット２０の後上端部２０ｂは、上アーム部１７の後端部１７ｂの後方に位置する。又、クッションユニット２０の後上端部２０ｂは、ハンドルポスト１１の軸部１１ａの下近傍に位置する。又、クッションユニット２０の後上端部２０ｂは、下アーム部１８の後端部１８ｂの上後方に位置する。
【００５６】
図７を参照し、下アーム部１８の左右接続部１８ｅには、車幅方向に開口する挿通孔３９ｈが形成される。下アーム部１８の左右接続部１８ｅの間にクッションユニットの前下端部２０ａを挟んだ状態で、挿通孔３９ｈ及びクッションユニットの前下端部２０ａの内周を通じて、ボルト３９ａを挿通し、その突出部にナット３９ｂを螺着し締め込む。ボルト３９ａの外周には、ニードルベアリング３９ｍを支持するためのカラー３９ｊが設けられる。このカラー３９ｊを介して、クッションユニット２０の前下端部２０ａが左右接続部１８ｅに揺動可能に支持される。
尚、図中符号Ｃ１３は、ボルト３９ａの中心軸線を示す。
【００５７】
図６を参照し、支持部２ａの左右接続部２ｅには、車幅方向に開口する挿通孔３８ｈが形成される。支持部２ａの左右接続部２ｅの間にクッションユニットの後上端部２０ｂを挟んだ状態で、挿通孔３８ｈ及びクッションユニットの後上端部２０ｂの内周を通じて、ボルト３８ａを挿通し、その突出部にナット３８ｂを螺着し締め込む。ボルト３８ａの外周には、ニードルベアリング３８ｍを支持するためのカラー３８ｊが設けられる。このカラー３８ｊを介して、クッションユニット２０の後上端部２０ｂが左右接続部２ｅに揺動可能に支持される。
尚、図中符号Ｃ１４は、ボルト３８ａの中心軸線を示す。
【００５８】
ここで、図１、図９は、前輪懸架装置１０に車重分の荷重が加わった１Ｇ状態を示す。
この状態から、前輪制動等により前輪９が相対的に上方へ変位すると、揺動アーム１６が上方へ揺動して、フロントフォーク１９及びヘッドパイプ１２が上方へ変位する。このとき、第四連結軸線Ｃ１２を中心に下アーム部１８が右回り（時計回り）に後転する。すると、下アーム部１８が、クッションユニット２０の前下端部２０ａを上方へ変位させてクッションユニット２０を圧縮させる。
【００５９】
ヘッドパイプ１２が上方へ変位すると、これに応じて転舵部材１３も一体的に変位する。このとき、回動部材１４がハンドルポスト１１に対して変位し、且つ、ステアリング軸線Ｃ３の操舵軸線Ｃ２に対する角度が変化するが、この変化は左右第一ボールジョイント４０、左右第二ボールジョイント４３の揺動及び回動部材１４の回動により吸収される。
【００６０】
一方、前記１Ｇ状態から、加速等により前輪９が相対的に下方へ変位すると、揺動アーム１６が下方へ揺動して、フロントフォーク１９及びヘッドパイプ１２が下方へ変位する。このとき、第四連結軸線Ｃ１２を中心に下アーム部１８が左回り（反時計回り）に前転する。すると、下アーム部１８が、クッションユニット２０の前下端部２０ａを下方へ変位させてクッションユニット２０を伸長させる。
【００６１】
ヘッドパイプ１２が下方へ変位すると、これに応じて転舵部材１３も一体的に変位する。このとき、回動部材１４がハンドルポスト１１に対して変位し、且つ、ステアリング軸線Ｃ３の操舵軸線Ｃ２に対する角度が変化するが、この変化は左右第一ボールジョイント４０、左右第二ボールジョイント４３の揺動及び回動部材１４の回動により吸収される。
【００６２】
以上説明したように、上記実施形態は、ハンドル８の操舵軸線Ｃ２よりも前方にオフセットしたステアリング軸線Ｃ３を形成するヘッドパイプ１２と、ヘッドパイプ１２に回動可能に支持されると共に、前輪９と一体的にステアリング軸線Ｃ３の回りに回動される転舵部材１３と、一端部が転舵部材１３の側に回動可能に接続されると共に、他端部がハンドル８の側に回動可能に接続されるリンク部材１５と、を備える鞍乗り型車両の転舵構造であって、リンク部材１５の一端部と転舵部材１３との間には、転舵部材１３に前輪９の車軸９ａの中心軸線Ｃ１に沿う回動軸線Ｃ４の回りに回動可能に支持される回動部材１４が設けられる。
この構成によれば、両端が回動可能なリンク部材１５で転舵部材１３とハンドル８とを連結することで、ハンドル８を転舵部材１３の後方にオフセットした転舵機構を構成することができる。又、前輪９のストローク等により、操舵軸線Ｃ２とステアリング軸線Ｃ３との間に角度が生じても、この角度を回動部材１４の回動によっても吸収することができる。即ち、ハンドル８と前輪懸架部材とをリンク機構を介して連結した鞍乗り型車両の転舵構造において、前輪懸架装置１０の上下動による転舵への影響を小さくしつつハンドル位置の自由度を高めることができる。
【００６３】
又、上記実施形態では、リンク部材１５は、車幅方向両側に左右一対設けられ、回動部材１４は、左右一対のリンク部材１５の前端近傍、且つ、左右一対のリンク部材１５の間に配置されることで、回動部材１４がコンパクトに配置されるので、周辺部材との関係でレイアウトに与える影響を小さくすることができる。
【００６４】
又、上記実施形態では、回動部材１４を転舵部材１３に支持する軸支部１３ｄは、側面視で、リンク部材１５の上側に配置されることで、軸支部１３ｄがコンパクトに配置されるので、周辺部材との関係でレイアウトに与える影響を小さくすることができる。
【００６５】
尚、上記実施形態では、上アーム部１７の第一直線ＡＸ１と下アーム部１８の第二直線ＡＸ２とが１Ｇ状態で互いに平行である例を挙げて説明したが、これに限らない。
例えば、図１０に示すように、上アーム部１７の第一直線ＡＸ１と下アーム部１８の第二直線ＡＸ２とが、１Ｇ状態で前側ほど大きく離間するように、後方への延長部分で互いに点Ｐｘで交差していてもよい。図１０では、下アーム部１８の前後長さは、上アーム部１７の前後長さと同じである。側面視で、第三連結軸線Ｃ１１と第四連結軸線Ｃ１２とを結ぶ第二線分の長さＷ２は、第一連結軸線Ｃ９と第二連結軸線Ｃ１０とを結ぶ第一線分の長さＷ１と同じである（Ｗ２＝Ｗ１）。このような交差配置にするには、例えば、側面視で、第二連結軸線Ｃ１０の上下位置を下方にずらしたり、第四連結軸線Ｃ１２の上下位置を上方にずらしたりするとよい。
【００６６】
又、図示はしないが、上アーム部１７の第一直線ＡＸ１と下アーム部１８の第二直線ＡＸ２とが、１Ｇ状態で後側ほど大きく離間するように、前方への延長部分で互いに交差していてもよい。このような交差配置にするには、例えば、側面視で、第二連結軸線Ｃ１０の上下位置を上方にずらしたり、第四連結軸線Ｃ１２の上下位置を下方にずらしたりするとよい。
即ち、ヘッドパイプ１２に前端部１７ａを車幅方向に沿う第一連結軸線Ｃ９の回りに揺動可能に接続されると共に、車体フレーム１に後端部１７ｂを車幅方向に沿う第二連結軸線Ｃ１０の回りに揺動可能に接続される上アーム部１７と、上アーム部１７の下方に配置され、且つ、ヘッドパイプ１２に前端部１８ａを車幅方向に沿う第三連結軸線Ｃ１１の回りに揺動可能に接続されると共に、車体フレーム１に後端部１８ｂを車幅方向に沿う第四連結軸線Ｃ１２の回りに揺動可能に接続される下アーム部１８と、を更に備え、側面視で、第一連結軸線Ｃ９と第二連結軸線Ｃ１０とを通る第一直線ＡＸ１と、第三連結軸線Ｃ１１と第四連結軸線Ｃ１２とを通る第二直線ＡＸ２とは、前方又は後方への延長部分で互いに交差していてもよい。
この構成によれば、側面視で角度をもって配置された上アーム部１７と下アーム部１８とを介した揺動により、転舵部材１３がステアリング軸線Ｃ３に対して傾きを伴うストロークをしても、回動部材１４の回動により吸収することができる。
【００６７】
又、上記実施形態では、ステアリング軸線Ｃ３が操舵軸線Ｃ２よりも前方に離間すると共に、１Ｇ状態でステアリング軸線Ｃ３と操舵軸線Ｃ２とが互いに平行である例を挙げて説明したが、これに限らない。例えば、ステアリング軸線Ｃ３が操舵軸線Ｃ２よりも前方に離間すると共に、ステアリング軸線Ｃ３と操舵軸線Ｃ２とが互いに交差していてもよい。即ち、ステアリング軸線Ｃ３が操舵軸線Ｃ２よりも前方に離間していればよい。
【００６８】
又、上記実施形態では、第一軸線Ｃ５が、車両上下方向に延びる直線であり、第二軸線Ｃ６が、第一軸線Ｃ５に平行、且つ、車両上下方向に延びる直線である例を挙げて説明したが、これに限らない。例えば、第一軸線Ｃ５が、車幅方向と交差する方向に沿う直線であり、第二揺動直線Ｃ６が、車幅方向と交差する方向に沿い、且つ、第一軸線Ｃ５とは異なる直線であってもよい。
【００６９】
尚、本発明は上記実施形態に限られるものではなく、例えば、前記鞍乗り型車両には、運転者が車体を跨いで乗車する車両全般が含まれ、自動二輪車（原動機付自転車及びスクータ型車両を含む）のみならず、三輪（前一輪且つ後二輪の他に、前二輪且つ後一輪の車両も含む）の車両も含まれる。
又、水平対向のエンジン以外の縦置きエンジンを搭載した車両や、クランク軸を車幅方向に沿わせた横置きエンジンを搭載した車両に適用してもよい。クッションユニットやクッションアームが車体としてエンジンに支持された構成でもよい。
そして、上記実施形態における構成は本発明の一例であり、実施形態の構成要素を周知の構成要素に置き換える等、本発明の要旨を逸脱しない範囲で種々の変更が可能である。
【符号の説明】
【００７０】
１  車体フレーム
８  バーハンドル（ハンドル）
９  前輪
９ａ  前輪車軸
１２  ヘッドパイプ
１３  転舵部材
１４  回動部材
１５  リンク部材
１６  揺動アーム
１７  上アーム部
１８  下アーム部
Ｃ１  前輪車軸の中心軸線
Ｃ２  ハンドルポストの軸部の中心軸線（操舵軸線）
Ｃ３  ステアリング軸線
Ｃ４  軸支部の中心軸線（回動軸線）
Ｃ５  左右第一ボールスタッドのスタッド部の中心軸線（第一軸線）
Ｃ６  左右第二ボールスタッドのスタッド部の中心軸線（第二軸線）
ＡＸ１  第一直線
ＡＸ２  第二直線
【図１】
2015193309.tif 000003
【図２】
2015193309.tif 000004
【図３】
2015193309.tif 000005
【図４】
2015193309.tif 000006
【図５】
2015193309.tif 000007
【図６】
2015193309.tif 000008
【図７】
2015193309.tif 000009
【図８】
2015193309.tif 000010
【図９】
2015193309.tif 000011
【図１０】
2015193309.tif 000012